(57)【特許請求の範囲】
【請求項１】
粒状の固形ワックスを含むキャンドル材料と、
湯煎可能な材料で設けられ、前記キャンドル材料を密封して収容する容器と、
を備え、
前記キャンドル材料を前記容器に収容した状態で水に浮くように構成されたキャンドル材料収容体。
【請求項２】
前記容器は、収容した前記キャンドル材料を目視できる程度の透明部分を少なくとも一部に有する、請求項１記載のキャンドル材料収容体。
【請求項３】
前記キャンドル材料は、前記固形ワックスに加え、着色料および香料の少なくともいずれかを含む混合材料である、請求項１または請求項２に記載のキャンドル材料収容体。
【請求項４】
前記キャンドル材料を収容した前記容器の内部が真空密封されている、請求項１から請求項３のいずれか１項に記載のキャンドル材料収容体。
【請求項５】
粒状の固形ワックスを含むキャンドル材料と、
湯煎可能な材料で設けられ、前記キャンドル材料を密封して収容する容器と、
を備え、
前記容器は、収容した前記キャンドル材料を目視できる程度の透明部分を少なくとも一部に有するキャンドル材料収容体。
【発明の詳細な説明】
【技術分野】
【０００１】  本発明は、キャンドル材料収容体に関し、より詳しくは、パウチ容器にキャンドル材料を密封したキャンドル材料収容体に関するものである。
【背景技術】
【０００２】  キャンドルは、溶かしたワックス（ろう）をモールド（型）に注ぐことで作られる。例えば、予めモールドに木綿などの芯をセットしておき、溶かしたワックスに必要に応じて着色料や香料を混ぜ、モールドに流し込んで固める。固まった後、モールドから取り出すことで中心に芯が通されたキャンドルが完成する。【０００３】  キャンドルのハンドメイドも盛んに行われており、ワックスの選択、着色料および香料の選択など、材料を調合し、所望の形状のモールドを使うことで、様々な形、色、香りのキャンドルを楽しむことができる。【０００４】  特許文献１では、持ち運びが容易であり、容器に補充するだけで繁雑な作業なしにキャンドルの作製および補充が出来る安全性の高いキャンドル用補充材が開示される。このキャンドル用充填材は、可燃性溶剤とゲル化剤からなる可燃性ゲル化組成物を容器に充填したもので、高い流動性によって強化ガラスや耐熱ガラス等の燃焼用容器に絞り出して充填することができる。【０００５】  特許文献２では、微小粒状とした白色のステアリン酸に、所望の色に着色したステアリン酸を一定比率で混合し、容器に収納したろうそく材が開示される。芯材を入れたグラスにこのろうそく材を注入し、芯材に着火することで、順次溶融するステアリン酸が混ざり合い、マーブル模様を現出させるようになっている。
【先行技術文献】
【特許文献】
【０００６】
【特許文献１】特開２０００−２１２５９１号公報
【特許文献２】実開昭４９−１１５９６９号公報
【発明の概要】
【発明が解決しようとする課題】
【０００７】  キャンドル材料であるワックスには数多くの種類がある。また、このワックスに各種の添加材を混ぜることで、燃え方、固さ、質感、透明感、気泡、成形具合など、キャンドルの特質が複雑に作用し合うことになる。したがって、キャンドル製作において、ワックスの分量や調合比率、添加材による調整は非常に難しい。また、キャンドル材料は酸化を嫌うため、保存の管理が重要になる。さらに、上手にかつ安全に成形するためには、キャンドル材料を溶かす際の温度管理が非常に重要であり、キャンドル製作において最も気を遣うポイントの一つでもある。【０００８】  本発明は、煩雑なキャンドル材料の調合や管理およびキャンドル製作の際の温度管理を容易に行うことができるキャンドル材料収容体を提供することを目的とする。
【課題を解決するための手段】
【０００９】  本発明の一態様は、粒状の固形ワックスを含むキャンドル材料と、湯煎可能な材料で設けられ、キャンドル材料を密封して収容する容器と、を備えたキャンドル材料収容体である。このような構成によれば、キャンドル製作に必要なキャンドル材料が予め容器に密封状態で収容されているため、材料の調合や管理の煩わしさを無くすことができる。また、湯煎によって容器に収容されたキャンドル材料を溶かすことができ、温度管理を簡単に行うことができる。【００１０】  上記キャンドル材料収容体において、容器は、沸騰した湯による湯煎によってキャンドル材料を密封状態のまま固形ワックスを軟化させる強度および熱伝導特性を有することが好ましい。これにより、沸騰した湯に容器を入れて湯煎するだけでキャンドル材料を成形に適した状態に溶かすことができる。【００１１】  上記キャンドル材料収容体において、キャンドル材料を容器に収容した状態で水に浮くように構成されていてもよい。これにより、湯煎する際にキャンドル材料収容体の容器が湯煎器具の底面（加熱される面）に触れにくくなる。【００１２】  上記キャンドル材料収容体において、容器は、収容したキャンドル材料を目視できる程度の透明部分を少なくとも一部に有していてもよい。これにより、キャンドル材料の状態、色、残りの量を容器の外から確認することができる。【００１３】  上記キャンドル材料収容体において、キャンドル材料は、固形ワックスに加え、着色料および香料の少なくともいずれかを含む混合材料であってもよい。これにより、キャンドル製作に最適な比率で調合された混合材料を予め用意しておくことができ、調合の煩わしさを無くすことができる。【００１４】  上記キャンドル材料収容体において、キャンドル材料を収容した容器の内部が真空密封されていてもよい。パウチ容器の内部を真空密封にしておくことで、湯煎した際のキャンドル材料の膨張によるパウチ容器の破損を効果的に抑制することができる。
【発明の効果】
【００１５】  本発明によれば、煩雑なキャンドル材料の調合や管理およびキャンドル製作の際の温度管理を容易に行うことができるキャンドル材料収容体を提供することが可能になる。
【図面の簡単な説明】
【００１６】
【図１】本実施形態に係るキャンドル材料収容体の構成を例示する模式斜視図である。
【図２】（ａ）および（ｂ）は、キャンドル製作の例を説明する模式図である。
【図３】（ａ）および（ｂ）は、キャンドル製作の例を説明する模式図である。
【図４】（ａ）および（ｂ）は、キャンドル製作の例を説明する模式図である。
【図５】（ａ）〜（ｃ）は、他のパウチ容器の例を示す模式図である。
【図６】パウチ容器を真空密封した状態を示す図である。
【図７】（ａ）および（ｂ）は比較例を説明する模式図である。
【発明を実施するための形態】
【００１７】  以下、本発明の実施形態を図面に基づいて説明する。なお、以下の説明では、同一の部材には同一の符号を付し、一度説明した部材については適宜その説明を省略する。
【００１８】（キャンドル材料収容体の構成）  図１は、本実施形態に係るキャンドル材料収容体の構成を例示する模式斜視図である。  図１に示すように、本実施形態に係るキャンドル材料収容体１は、粒状の固形ワックス１０１を少なくとも含むキャンドル材料１０と、キャンドル材料１０を密封して収容する容器の例であるパウチ容器２０とを備える。
【００１９】  キャンドル材料１０には、固形ワックス１０１のほか、着色料（顔料、染料）１０２や香料１０３などの添加材が含まれていてもよい。なお、添加材とは主材料となる固形ワックス１０１に対して付加する材料であり、着色料１０２や香料１０３のほか、主材料に加える他のワックスを添加材と呼ぶ場合もある。
【００２０】  固形ワックス１０１としては、例えば、パラフィンワックス、ステアリン酸ワックス、大豆ワックス、ココナッツワックス、みつろう、パームワックス、である。固形ワックス１０１は種類によって成分が異なるため、それぞれ融点、温度による粘度特性、引火点に違いがある。例えば、パラフィンワックスの融点は４７℃〜６９℃程度、引火点は２００℃以上である。大豆ワックスの融点は４３℃〜５２℃程度、引火点は２００℃以上である。みつろうの融点は６４℃程度、引火点は２５０℃以上である。
【００２１】  本実施形態では、キャンドル材料１０に少なくとも粒状の固形ワックス１０１が含まれる。粒状の大きさは、円相当直径で約１ｍｍ以上２０ｍｍ以下程度である。ここで、粒状における粒の形状には、ペレット状、板状、顆粒状、フレーク状、ブロック状など、各種の形状が含まれる。
【００２２】  固形ワックス１０１の融点や粘度特性によって最適な粒の大きさや形状が選択されている。すなわち、後述するパウチ容器２０を用いた湯煎によって成形に最適な粘度にできる粒の大きさや形状に予め設定されている。また、固形ワックス１０１が粒状になっていることで、湯煎によって溶かす際に効率良く熱が伝わり、溶けやすくなる。さらに、パウチ容器２０内に収容した際の形の自由度が高まり、保管や収納、商品陳列を行いやすくなる。
【００２３】  パウチ容器２０は、湯煎可能な材料によって形成される。パウチ容器２０はラミネートフィルムを袋状に成形したものである。例えば、表面側になる第１面２０ａと裏面側になる第２面２０ｂとを重ね合わせ、縁部分が接着（熱圧着や溶着など）される。また、底面側になる第３面２０ｃを有していてもよい。第３面２０ｃがあることで、パウチ容器２０にマチを持たせることができるとともに、パウチ容器２０を自立させることもできる。
【００２４】  湯煎可能なパウチ容器２０として用いられるラミネートフィルムの材料には、プラスチック、アルミニウム、Ｌ−ＬＤＰＥ（直鎖状低密度ポリエチレン）などが用いられる。低密度、柔軟性、透明性、低温シール性に優れた材料が好ましい。耐熱温度は、１２０℃以上１２５℃以下程度である。また、パウチ容器２０には、例えば、ポリエステル、ＰＡ（ポリアミド）、アルミニウム、ＰＥ（ポリエチレン）、およびこれらの２種以上による複数材料のような耐熱性に優れた材料を用いることがより好ましい。
【００２５】  パウチ容器２０にキャンドル材料１０を密封して収容することで、キャンドル材料１０を湿気や酸素から守ることができ、長期間の保管が可能となる。また、図１に示す例では、パウチ容器２０の角部分にスパウト（注ぎ口）２５が設けられている。スパウト２５にキャップ２５ａが設けられていると、キャンドル材料１０を使い切れなかったときの再封止を行うことができる。
【００２６】  また、パウチ容器２０は、収容したキャンドル材料１０を目視できる程度の透明部分（半透明部分を含む）を少なくとも一部に有していてもよい。また、パウチ容器２０の全体が透明や半透明になっていてもよい。これにより、キャンドル材料１０の状態、色、残りの量をパウチ容器２０の外から確認することができる。透明部分は、パウチ容器２０の底に設けられていてもよい。この場合、湯煎する際にパウチ容器２０の上下を逆さまにすると、パウチ容器２０の底の透明部分が上になり、上からパウチ容器２０の内部を確認することができる。
【００２７】  本実施形態では、パウチ容器２０は、沸騰した湯による湯煎によってキャンドル材料１０を密封状態のまま固形ワックス１０１を軟化させることができる強度および熱伝導特性を有する。これにより、沸騰した湯にパウチ容器２０を入れて湯煎するだけでキャンドル材料１０を成形に適した状態（混合状態、粘度）に溶かすことができる。また、湯煎し続けても、キャンドル材料１０は沸騰した湯の温度を超えないため、引火点に達することはない。
【００２８】  パウチ容器２０に収容するキャンドル材料１０として、固形ワックス１０１のほか、必要な着色料１０２や香料１０３を予め含めた混合材料にすることもできる。これにより、キャンドル製作に最適な比率で調合された混合材料を１つのパウチ容器２０に予め収容しておくことができ、別々に用意して計量し、タイミングをみて混ぜるといった煩わしい調合作業が不要となる。
【００２９】  なお、キャンドル材料１０が溶けると、溶ける前に比べて体積が増加する。キャンドル材料１０の種類にもよるが、溶けることで約２０％増加するものもある。本実施形態では、パウチ容器２０にキャンドル材料１０を収容する際、パウチ容器２０内でキャンドル材料１０が溶けて体積増加があっても、密封状態を保つことができるように、パウチ容器２０の収容量に対するキャンドル材料１０の内容量の割合が調整されている。また、パウチ容器２０内でキャンドル材料１０の体積が増加しても破損しないような封止強度になっている。
【００３０】  このように、溶けることで体積が増加することはキャンドル材料１０の特性であり、一般的な飲食料品を温めるためにパウチ容器２０に収容することとは異なる構成が必要である。その一つとして、パウチ容器２０にキャンドル材料１０を収容した際、パウチ容器２０内に気体（空気、窒素など）を充填しておくとよい。充填の量は、キャンドル材料１０が溶けて体積増加した際にパウチ容器２０の内圧が上昇しても、パウチ容器２０内の気体がバッファとなってパウチ容器２０の密封破壊に有利に働くような量である。また、窒素などの不活性ガスを充填しておくことで、パウチ容器２０に収容したキャンドル材料１０の変質（酸化など）を抑制することができる。
【００３１】（キャンドル材料収容体を用いたキャンドル製作）  次に、本実施形態に係るキャンドル材料収容体１を用いたキャンドル製作の例を説明する。  図２〜図４はキャンドル製作の例を説明する模式図である。  先ず、図２（ａ）および（ｂ）に示すように、本実施形態に係るキャンドル材料収容体１を湯煎する。図２（ａ）には鍋などの外容器２００を用いた湯煎の例が示され、図２（ｂ）には電子ケトル２５０を用いた湯煎の例が示される。例えば、電磁調理器やガスコンロといった熱源３００によって外容器２００で湯ＨＷを沸騰させ、その中に本実施形態に係るキャンドル材料収容体１を入れる。湯ＨＷが沸騰したかどうかは見た目で判断することができる。すなわち、沸騰した状態では約１００℃になることから、温度計を用いた温度管理は必要ない。
【００３２】  湯ＨＷが沸騰した状態でキャンドル材料収容体１を入れて湯煎を行う。キャンドル材料収容体１を入れてから湯煎する時間を計ることが好ましい。所定時間湯煎することで、キャンドル材料収容体１のパウチ容器２０に収容されたキャンドル材料１０がパウチ容器２０に密封された状態で溶けることになる。
【００３３】  湯煎する際、パウチ容器２０を立てるように（底を下にして配置）してもよい。本実施形態では、固形ワックス１０１が粒状になっているため、パウチ容器２０の底側に固形ワックス１０１が集まりやすい。したがって、パウチ容器２０を立てるように外容器２００や電子ケトル２５０内に入れた場合、パウチ容器２０の途中まで湯ＨＷにつかればよい。一方、湯煎する際、パウチ容器２０を寝かせるようにしてもよい。パウチ容器２０を寝かせた場合にはパウチ容器２０の全体に固形ワックスが拡がるため、少ない湯ＨＷの量でも固形ワックス１０１を溶かすことができる。このように、パウチ容器２０には粒状のキャンドル材料１０が収容されているため、湯煎する際のパウチ容器２０の姿勢に柔軟に対応して、効率良くキャンドル材料１０を溶かすことができる。
【００３４】  湯煎する際、パウチ容器２０の上下を逆さまにして底を上にするようにしてもよい。例えば、パウチ容器２０の底に透明部分が設けられていれば、上になった透明部分からパウチ容器２０の固形ワックス１０１が溶ける様子を確認することができる。
【００３５】  また、キャンドル材料１０をパウチ容器２０に収容した状態でキャンドル材料収容体１が水に浮くように構成してもよい。例えば、キャンドル材料１０およびパウチ容器２０の比重、パウチ容器２０内の空気の量を調整することで、水に浮くようにする。これにより、湯煎する際にキャンドル材料収容体１のパウチ容器２０が外容器２００や電子ケトル２５０に底面（加熱される面）に触れにくくなる。外容器２００や電子ケトル２５０の底面は熱源に近いため、パウチ容器２０が直接触れないほうがパウチ容器２０の溶融可能性を下げられることになる。なお、パウチ容器２０として耐熱性に優れた材料を用いることで、パウチ容器２０が外容器２００や電子ケトル２５０の底面に触れてもパウチ容器２０の溶融を抑制することができる。
【００３６】  また、湯煎する際にパウチ容器２０を立てた状態で保持するため、治具（図示せず）を用いてもよい。治具としては、パウチ容器２０を保持する錘のようなものや、パウチ容器２０の上部をクリップして立てた状態で外容器２００や電子ケトル２５０の縁に引っ掛けて吊すようなものが挙げられる。
【００３７】  湯煎する時間は、パウチ容器２０に収容したキャンドル材料１０の種類によって予め設定される。パウチ容器２０には予め決まった固形ワックス１０１が収容されていたり、固形ワックス１０１に着色料１０２や香料１０３が所定の量および比率で混合されていたりするため、沸騰した湯ＨＷで湯煎して成形に最適な粘度になる時間が設定される。したがって、利用者は、沸騰した湯ＨＷに本実施形態のキャンドル材料収容体１を入れてから湯煎する時間を計るだけで、成形に適した状態にキャンドル材料１０を溶かすことが可能となる。
【００３８】  次に、図３（ａ）および（ｂ）に示すように、成形用の型であるモールド５０にパウチ容器２０から溶けたキャンドル材料１０（１０ａ）を流し込む。モールド５０には予め芯３０を支持棒６０によって吊っておく。また、モールド５０の内側面５０ａには離型剤を塗布しておく。この状態で、湯煎によって溶かしたキャンドル材料１０（１０ａ）をパウチ容器２０からモールド５０に流し入れる（注ろう）。パウチ容器２０による湯煎によってキャンドル材料１０は最適に混ぜられ、注ろうに適した粘度になっている。
【００３９】  溶けたキャンドル材料１０（１０ａ）はパウチ容器２０に密封されているため、パウチ容器２０を手で持ってもキャンドル材料１０（１０ａ）が手に付くことはない。パウチ容器２０にスパウト２５が設けられている場合、キャップ２５ａを外して開封することでスパウト２５から簡単かつ確実に溶けたキャンドル材料１０（１０ａ）をモールド５０に流し込むことができる。
【００４０】  なお、キャンドル材料１０を使い切れなかった場合は、スパウト２５のキャップ２５ａを閉めることで、余ったキャンドル材料１０を再び密封状態にして保管しておくことができる。次に使用する場合には、再び湯煎することでキャンドル材料１０を溶かすことができる。
【００４１】  次に、図４（ａ）に示すように、モールド５０に流し込んだキャンドル材料１０ａを冷まして固める。キャンドル材料１０が完全に固まるまで数時間程度を要する。キャンドル材料１０が固まった後、図４（ｂ）に示すようにモールド５０から取り出す。これにより、キャンドル１００が完成する。
【００４２】  このように、本実施形態に係るキャンドル材料収容体１を用いることで、温度計を用いた温度管理が不要になるとともに、湯煎によって溶けたキャンドル材料１０をパウチ容器２０からモールド５０に流し込むだけで、簡単かつ安全にキャンドル１００を製作することが可能になる。
【００４３】（他のパウチ容器の例）  図５（ａ）〜（ｃ）は、他のパウチ容器の例を示す模式図である。  図５（ａ）には、上部中央にスパウト２５を備えたパウチ容器２０が示される。上部中央にスパウト２５が設けられていると、溶けたキャンドル材料１０をモールド５０に流し込む際、スパウト２５を下にして手で持つときのバランスが良く、注ろう作業を行いやすい。
【００４４】  図５（ｂ）には、ファスナ２７を備えたパウチ容器２０が示される。ファスナ２７により開閉が自在になるとともに、ファスナ２７を開くことでパウチ容器２０の開口を大きくすることができ、注ろう作業の際に解けたキャンドル材料１０を短時間にモールド５０へ注ぐことが可能となる。
【００４５】  図５（ｃ）には、切り込み部２９を備えたパウチ容器２０が示される。このパウチ容器２０はキャンドル材料１０を使い切るタイプとなるが、パウチ容器２０を確実に閉じておくことができ、キャンドル材料１０の長期保管に有効である。また、キャンドル材料１０を収容したパウチ容器２０の内部が真空密封されていてもよい。パウチ容器２０の内部を真空密封にしておくことで、湯煎した際のキャンドル材料１０の膨張によるパウチ容器２０の破損を効果的に抑制することができるとともに、パウチ容器２０に収容したキャンドル材料１０の変質（酸化など）を抑制することができる。
【００４６】  ここで、図５（ｃ）に示すパウチ容器２０では、使用前（切り込み部２９を切って開封する前）の容器密閉性が高いため、パウチ容器２０の内部を真空密封しやすい。なお、湯煎した際にキャンドル材料１０の膨張によってパウチ容器２０の口が開かないように封止されていれば、スパウト２５を備えたパウチ容器２０でも、ファスナ２７を備えたパウチ容器２０でも、内部を真空密封しておくようにしてもよい。
【００４７】  真空密封の状態としては、通常の大気圧より低い圧力の気体で満たされた空間の状態であり、絶対圧で、例えば１００ｋＰａ（キロパスカル）〜１００Ｐａ（パスカル）の低真空状態でよい。具体的には、９０ｋＰａ〜１０ｋＰａ程度、より好ましくは４５ｋＰａ〜３０ｋＰａ程度である。
【００４８】  図６は、パウチ容器を真空密封した状態を示す図である。  図６には、キャンドル材料１０を収容したパウチ容器２０を真空密封した状態の写真が示される。このように真空密封にすることで、キャンドル材料１０を長期保管しやすくなる。また、キャンドル製作に最適な比率で調合された混合材料がパウチ容器２０に真空密封されていることで、販売者はキャンドル材料１０を長期間ストックでき、少ない容積となって保管や輸送にも有利となる。
【００４９】  また、キャンドル製作を行う使用者にとっては、真空密封されていることで好みのキャンドル材料１０をストックしやすくなる。また、キャンドル製作の頻度の高くない使用者にとっては、長期間ストックしてあったキャンドル材料１０を、思い立ったときに使用することができ、その都度煩わしい調合作業を行うことなく直ぐにキャンドル製作を楽しむことができるようになる。
【００５０】（比較例）  次に、比較例について説明する。  図７（ａ）および（ｂ）は比較例を説明する模式図である。  図７（ａ）には直火熱方式によるキャンドル材料１０の溶融の例が示され、図７（ｂ）には湯煎方式によるキャンドル材料１０の溶融の例が示される。
【００５１】  図７（ａ）に示す直火熱方式では、外容器２００に固形のキャンドル材料１０を入れて電磁調理器やガスコンロなどの熱源３００による加熱でキャンドル材料１０を溶かす。直火加熱方式では温度計４００を用いてキャンドル材料１０の温度を常に監視しておく必要がある。すなわち、ワックスを加熱する際、加熱し過ぎると引火する恐れがあることから、温度計４００によってワックスの引火点（２００℃以上）を超えないように監視しておく必要がある。
【００５２】  図７（ｂ）に示す湯煎方式では、外容器２００に湯ＨＷを入れ、キャンドル材料１０を入れた内容器２１０を湯ＨＷに付けて湯煎を行う。湯煎方式では、直火加熱方式に比べて加熱し過ぎによる引火のリスクは少ないが、成形に最適な状態を把握するため温度計４００による温度管理は必要である。また、湯煎方式の場合、沸騰した湯ＨＷが内容器２１０のキャンドル材料１０に混入し、キャンドル材料１０が飛散するリスクがある。
【００５３】  このような比較例に対して、本実施形態に係るキャンドル材料収容体１を用いた湯煎では、次のようなメリットがある。（１）沸騰した湯ＨＷにパウチ容器２０を入れて湯煎することでキャンドル材料１０が最適な状態に溶けるように設定されているため、温度計４００による温度管理を行う必要はない。（２）キャンドル材料１０はパウチ容器２０で密封された状態で湯煎されるため、沸騰した湯ＨＷがキャンドル材料１０に混入することはない。（３）パウチ容器２０で密封された状態でキャンドル材料１０が溶けるため、溶けたキャンドル材料１０に直接触れることはない。すなわち、キャンドル材料１０を溶かした後、モールド５０に注ぐ場合でも、湯煎したパウチ容器２０を持って注ぐことができ、容易かつ安全に作業を行うことができる。（４）ワックスの融点や引火点に関する知識や、キャンドル製作においての専門的な知識がなくても、簡単かつ確実にキャンドル製作を行うことができる。（５）鍋でお湯を沸かす以外に特別な道具が必要ない。（６）キャンドル材料１０がパウチ容器２０内に密封されているため、湿気や酸素に触れることがなく、保管時の吸湿や酸化を防ぐことができる。（７）香り付けのための香料や着色に必要な顔料や染料をワックスとともに事前に調合してパウチ容器２０内に収容しておくことができ、作業効率が高まる。（８）キャンドル材料１０が余った場合でもパウチ容器２０を閉じることで再保管することが可能になる。（９）一度溶かし、固まった後でも、湯煎し直すことで安全に再利用することが可能になる。すなわち、比較例のように、溶かしたワックスを鍋に残したまま固めてしまうと、再加熱したときに内部で温められ膨張したワックスが間欠泉のように吹き出す恐れがある。パウチ容器２０を密封したまま再加熱すれば、このような吹き出しが起こらず、安全に再利用することができる。（１０）外容器２００にワックスが直接付かないため、掃除をする手間が省ける。（１１）キャンドル制作に必要な電磁調理器や専用鍋などの初期投資を抑えることができる。
【００５４】  本実施形態に係るキャンドル材料収容体１では、比較例に対して上記のような各種のメリットがある。このようなメリットによって、今までは、ある程度の専門知識や煩雑な作業が必要であったキャンドル製作を手軽に行うことが可能となる。特に、キャンドル材料１０を溶かす際、引火しないように温度管理をすることが重要であるが、本実施形態に係るキャンドル材料収容体１では引火の危険性は非常に低く、高い安全性のもとキャンドル製作を行うことが可能となる。また、温度計４００による温度管理も不要のため、キャンドル製作の初心者や子供であっても、簡単かつ安全にキャンドル製作を楽しむことが可能となる。
【００５５】（具体例）  次に、本実施形態に係るキャンドル材料収容体１の具体例を示す。［具体例１］  パウチ容器２０に収容したキャンドル材料１０は、パラフィンワックス（融点５８℃）であり、容量は１００ｇである。パラフィンワックスの形状はペレット状である。  具体例１では、お湯を沸騰させ（温度９８℃）、お湯の温度を維持した状態で上記のキャンドル材料収容体１を湯煎した。  湯煎の時間経過とワックス状態は以下の通りである。  湯煎時間１分…２割程度溶解  湯煎時間２分…３割程度溶解  湯煎時間３分…半分程度溶解  湯煎時間４分…７割程度溶解  湯煎時間５分…８割程度溶解  湯煎時間６分…９割程度溶解  湯煎時間７分…完全溶解  具体例１では、湯を沸騰させた状態のまま湯煎を行うことで、７分でキャンドル材料１０を完全溶解することができた。
【００５６】［具体例２］  パウチ容器２０に収容したキャンドル材料１０は、パラフィンワックス（融点５８℃）であり、容量は１００ｇである。パラフィンワックスの形状はペレット状である。  具体例２では、お湯を沸騰させ（温度９８℃）、お湯の加熱を停止した後に上記のキャンドル材料収容体１を湯煎した。  湯煎の時間経過とワックス状態は以下の通りである。  湯煎時間４分（お湯の温度８７℃）…半分程度溶解  湯煎時間７分（お湯の温度８１℃）…６割程度溶解  湯煎時間９分（お湯の温度７８℃）…７割程度溶解  湯煎時間１１分（お湯の温度７６℃）…８割程度溶解  湯煎温度１２分（お湯の温度７５℃）…９割程度溶解  湯煎時間１４分（お湯の温度７３℃）…９割５分程度溶解  湯煎時間１５分（お湯の温度７２℃）…９割６分程度溶解  湯煎時間１７分（お湯の温度７０℃）…ほとんど溶解  湯煎温度１８分（お湯の温度６９℃）…完全溶解  具体例２では、湯を沸騰させて加熱を停止した状態で湯煎を行った。この場合には１８分でキャンドル材料１０を完全溶解することができた。具体例１よりも時間はかかるものの、沸騰状態を維持しないで湯煎するため、熱の対応に敏感にならずに取り扱うことができる。
【００５７】［具体例３］  パウチ容器２０に収容したキャンドル材料１０は、大豆ワックス（融点約５２℃）、香料（３％）および顔料（０．１％）であり、容量は５０ｇである。大豆ワックスの形状はフレーク状である。  具体例３では、お湯を沸騰させ（温度９８℃）、お湯の加熱を停止した後に上記のキャンドル材料収容体１を湯煎した。  湯煎の時間経過とワックス状態は以下の通りである。  湯煎時間１分…半分程度溶解  湯煎時間２分…９割程度溶解  湯煎時間２分５０秒…完全溶解  具体例３では、湯を沸騰させて加熱を停止した状態で湯煎することで、２分５０秒でキャンドル材料１０を完全溶解することができた。
【００５８】［具体例４］  パウチ容器２０に収容したキャンドル材料１０は、大豆ワックス（融点約５２℃）、香料（３％）および顔料（０．１％）であり、容量は１００ｇである。大豆ワックスの形状はフレーク状である。  具体例４では、お湯を沸騰させ（温度９８℃）、お湯の加熱を停止した後に上記のキャンドル材料収容体１を湯煎した。  湯煎の時間経過とワックス状態は以下の通りである。  湯煎時間１分…３割程度溶解  湯煎時間２分…半分程度溶解  湯煎時間２分５０秒…８割程度溶解  湯煎時間４分…９割程度溶解  湯煎時間５分…９割５分程度溶解  湯煎時間６分…完全溶解  具体例４では、湯を沸騰させて加熱を停止した状態で湯煎することで、６分でキャンドル材料１０を完全溶解することができた。具体例４では、具体例３に比べてキャンドル材料１０の容量が２倍あるため、完全溶解に要する時間も約２倍となった。
【００５９】（他の例）  本実施形態に係る他の例として、キャンドル材料１０を収容する容器は、パウチ容器２０以外であっても適用可能である。すなわち、容器としては、湯煎可能な材料で設けられ、キャンドル材料１０を密封して収容できるものであればよい。例えば、シリコーンによる容器、シリコーンによる袋体を有し、この袋体の開口に着脱可能なファスナを設けた容器、樹脂製のボトルとキャップとを備えた容器、アルミニウムボトルとキャップとを備えた容器が適用可能である。容器の開口が広い場合には、キャンドル材料１０を溶かした状態で容器を開封し、コアになる材料を開口からキャンドル材料１０にディッピングして被着させることが容易となる。
【００６０】  以上説明したように、本実施形態によれば、煩雑なキャンドル材料１０の調合や管理およびキャンドル製作の際の温度管理を容易に行うことができるキャンドル材料収容体１を提供することが可能になる。
【００６１】  なお、上記に本実施形態およびその適用例を説明したが、本発明はこれらの例に限定されるものではない。例えば、溶かしたキャンドル材料１０をモールド５０に注ぐ例を示したが、モールド５０ではなく容器（ガラスの器など）に注ぐようにしてもよい。また、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００６２】１…キャンドル材料収容体１０，１０ａ…キャンドル材料２０…パウチ容器２０ａ…第１面２０ｂ…第２面２０ｃ…第３面２５…スパウト２５ａ…キャップ２７…ファスナ２９…切り込み部３０…芯５０…モールド５０ａ…内側面６０…支持棒１００…キャンドル１０１…固形ワックス１０２…着色料（顔料、染料）１０３…香料２００…外容器２１０…内容器２５０…電子ケトル３００…熱源４００…温度計ＨＷ…湯 
【要約】  本発明は、粒状の固形ワックスを含むキャンドル材料（１０）と、湯煎可能な材料で設けられ、キャンドル材料（１０）を密封して収容する容器の例であるパウチ容器（２０）と、を備えたキャンドル材料収容体（１）である。このキャンドル材料収容体（１）において、パウチ容器（２０）は、沸騰した湯による湯煎によってキャンドル材料（１０）を密封状態のまま固形ワックスを軟化させる強度および熱伝導特性を有し、煩雑なキャンドル材料（１０）の調合や管理およびキャンドル製作の際の温度管理を容易に行うことができる。【図１】
0006941912.tif 000002
【図２】
0006941912.tif 000003
【図３】
0006941912.tif 000004
【図４】
0006941912.tif 000005
【図５】
0006941912.tif 000006
【図６】
0006941912.tif 000007
【図７】
0006941912.tif 000008